(57)【要約】【課題】  火炎が吹き出している火元に対しても消火シートを適切に覆い被せることができるようにして、緊急時に迅速かつ容易に消火作業を行うことができる消火シートを提供する。【解決手段】  本発明に係る消火シート２２は、不燃性又は難燃性でかつ可撓性を有するシート本体３５と、このシート本体３５の外周縁部に取り付けられた複数の重り部材３６とを備えていることを特徴とする。【選択図】      図１
2005160985.tif 000002
【特許請求の範囲】
【請求項１】
不燃性又は難燃性でかつ可撓性を有するシート本体と、このシート本体の外周縁部に取り付けられた複数の重り部材とを備えている消火シート。
【請求項２】
シート本体は長方形又は正方形に形成され、重り部材は当該シート材のコーナー部のみに配置されている請求項１に記載の消火シート。
【請求項３】
厨房の上部設備の下面に取り付けられた消火シートケースに折り畳み状態で収納されている請求項１又は２に記載の消火シート。
【請求項４】
厨房の壁面に固定された吊り戸棚等よりなる厨房の上部設備と、この上部設備の下面に取り付けられた消火シートケースと、このケースの内部に収納された請求項１〜３のいずれかに記載の消火シートとを備えているシステムキッチン。
【発明の詳細な説明】
【技術分野】
【０００１】  本発明は、火元に覆い被せて使用する消火シートとこのシートを有するシステムキッチンに関する。
【背景技術】
【０００２】  従来、例えば厨房での火災の初期消火を行う方法として、消化器から泡や粉末等の化学消火剤をコンロの鍋等の火元に放出して消火する場合と、超吸水性繊維等の不燃性ないし難燃性の消火シートをコンロの鍋等の火元に覆い被せて消火する場合（特許文献１参照）とが知られている。
【特許文献１】  実開昭６１−１１５５６３号公報
【発明の開示】
【発明が解決しようとする課題】
【０００３】  上記従来の消火方法のうち、消化器を使用する前者の場合には、家庭では消火器の操作に慣れていないことが多いし、また、いざ出火した時には気が動転して慌てることが多いため、消火器の操作に手間取って消火作業が遅れる可能性が大きい。また、消火器は緊急時以外は殆ど使用することがなく、しかも、比較的大きな設置スペースが必要となることから、消化器を厨房に設置すると炊事等の台所仕事の邪魔になることが多い。更に、台所仕事の邪魔になることから、消化器を収納棚の奥の方にしまい込んでしまうことも多い。【０００４】  これに対して、消火シートを使用する後者の場合は、出火している油鍋等の火元に消火シートを上から被せて消火するものであるから、その操作が簡単で素旱く消火作業を行うことができるという利点がある。しかし、従来の消火シートは単に可撓性のあるシート材のみから構成されているので、特に火元から勢いよく火炎が吹き上げているような場合には、その火炎から受けた浮力で消火シートの縁部が捲れ上がり、このため、消火シートを火元に対して適切に覆い被せることができず、初期消火に失敗することがある。【０００５】  そこで、本発明の課題は、火炎が吹き出している火元に対しても消火シートを適切に覆い被せることができるようにして、緊急時に迅速かつ容易に消火作業を行うことができる消火シートとこれを用いたシステムキッチンを提供する点にある。
【課題を解決するための手段】
【０００６】  上記課題を達成するため、本発明は次の解決手段を講じた。
すなわち、本発明に係る消火シートは、不燃性又は難燃性でかつ可撓性を有するシート本体と、このシート本体の外周縁部に取り付けられた複数の重り部材とを備えていることを特徴とする。【０００７】  本発明に係る消火シートによれば、シート本体の外周縁部に複数の重り部材が取り付けられているので、例えば火元から勢いよく火炎が吹き上げているような場合でも、その火炎から受けた浮力で消火シートの縁部が捲れ上がるのが防止され、消火シートを火元に対して適切に覆い被せることができる。【０００８】  本発明において、シート本体の外周縁部でれば重り部材の取付位置は特に限定されないが、シート本体が長方形又は正方形に形成されている場合には、重り部材は当該シート材のコーナー部のみに配置されていることが好ましい。この場合には、シート本体をどのように折り畳んでも重り部材の存在が邪魔になることがないので、シート本体を可及的にコンパクトに折り畳むことで消火シートの収納スペースを小さくすることができる。【０００９】  また、本発明に係る消火シートは、厨房用として使用する場合には、厨房の上部設備の下面に取り付けられた消火シートケースに折り畳み状態で収納することが好ましい。この場合、消火シートケースの取付位置である上部設備の下面はほぼ人の目の高さに位置しているので、消火シートケースが人目に付く位置に常置されることになる。このため、いざ発火という時に消火シートの場所が分からず、初期消火に間に合わないという事態を極力防止することができる。
【発明の効果】
【００１０】  上述の通り、本発明によれば、火炎が吹き出している火元に対しても消火シートを適切に覆い被せることができるので、緊急時に迅速かつ容易に消火作業を行うことができる。
【発明を実施するための最良の形態】
【００１１】  以下、図面に基づいて、本発明の一実施形態について説明する。
図１及び図２は、消火シートとその収納ケースよりなる消火装置を有するシステムキッチンを示している。このシステムキッチン１は、厨房内の壁面２に沿って配置される流し台３やフロアキャビネット４等よりなる下部設備５と、その上側の天井近傍に取り付けられるレンジフード６や吊り戸棚７等よりなる上部設備８とを備えている。
そのうち、下部設備５の上面は、レンジ９や流し台３のシンク１０が設けられた個所を除いて一枚の天板１１で覆われており、その内部には、食器や台所用品等の収納部（図示せず）が設けられていたり、或いは、オーブンや食器洗い乾燥機などの厨房機器（図示せず）が組み込まれている。【００１２】  下部設備５のレンジ（コンロ）９が設けられた個所の上方には、上部設備８のレンジフード６が配置されていて、このレンジフード６により、調理時に発生した煙や蒸気等を吸い込んで屋外に排出するようにしている。このように、システムキッチン１は、食器や調理器具等の台所用品の収納場所を確保するとともに、調理や食器洗いなどの台所仕事が効率的に行えるように、種々の厨房機器を機能的及び体系的に配置したものである。【００１３】  本実施形態のシステムキッチン１では、壁面２における下部設備５と上部設備８の間の部分に、板状の棚部１２，１３が手前に突出した状態で設けられている。なお、壁面２は不燃材のキッチンパネルやタイル等の従来公知の材料で構成され、棚部１２，１３は、この壁面２を構成した部材に一体形成されたものであっても、接着やねじ止めなどの手段で後付けされたものであっても良い。【００１４】  吊り戸棚７の下面７Ａには、壁面２から所定距離だけ離れて壁面２と平行なガイドレール１４が取り付けられ、このガイドレール１４に、板状の引き戸よりなるスライド扉１５，１６が移動可能に吊り下げ支持されている。このスライド扉１５，１６は、高さが上部設備８と下部設備５の間の間隔よりやや短い寸法で、かつ、幅が棚部１２，１３の横幅とほぼ等しい寸法になっている。従って、このスライド扉１５，１６は各棚部１２，１３を前方から見えないように覆うことができる。【００１５】  図１に示すように、下部設備５は壁面２との間に所定の間隙１７を有して設置されており、その下部設備５の後部上端には、当該間隙１７を塞ぐように横長の載置部１８が設けられている。なお、この間隙１７は、下部設備１の配管スペース等として利用される。また、下部設備５の側面が外部に開放される場合は、間隙１７の開放部分はサイドパネル（図示せず）によって閉塞される。【００１６】  図１に示すように、本実施形態の消火装置２１は、油鍋等の火元に覆い被せて使用する消火シート２２と、その収納部である消火シートケース２３とから構成されている。図３及び図４に示すように、この消火シートケース２３は、不燃性又は難燃性の消火シート２２を内部に収納可能でかつ上部設備８を構成する吊り戸棚７の下面７Ａに取り付けれた硬質プラスチック等の合成樹脂材料よりなるケース本体２４と、このケース本体２４の開口部を開閉自在に閉塞する同ケース本体２４と同質の合成樹脂材料よりなる蓋部材２５とを備えている。【００１７】  上記消火シートケース２３は、平面視ほぼ正方形状であり、しかも、高さ寸法が幅寸法及び奥行き寸法よりも小さい扁平な箱体よりなり、ケース本体２４は下方に開口する開口部を備えている。なお、消火シートケース２３の高さ寸法を概ね５０ｍｍ以下に設定しておけば、台所作業の支障になることはない。
本実施形態では、ケース本体２４は、その開口部を下方に向けた状態で吊り戸棚７の下面７Ａに取り付けられ、蓋部材２５の枢着部２６を後端部に有する。他方、蓋部材２５は、ケース本体２４とほぼ同じ平面形状のプレート体よりなり、その後端部に設けた回動ピン２７を上記枢着部２６に回動自在に挿通することにより、ケース本体２４の開口縁部に上下揺動自在に枢着されている。【００１８】  また、ケース本体２４の前端部には、蓋部材２５に対する引っ掛けフック２８を一体に有する解除プレート２９がシャフト３０を介して上下揺動自在に枢着されている。この解除プレート３０は、フック２８が常に引っ掛け位置になるようにばね部材３１によって下方に付勢されている。他方、蓋部材２５の前端部中央部分には、上記解除プレート２９を上方へ回動させるための円形のプッシュボタン３２が上下動自在に貫通されており、このプッシュボタン３２の下端部は湾曲形状に形成されており、蓋部材２５の下面側に露出している。【００１９】  従って、蓋部材２５に設けた上記プッシュボタン３２を上方にプッシュ操作すると、ばね部材３１に抗して解除プレート２９が上方に揺動し、これによって引っ掛けフック２８が解除方向に回動して蓋部材２５に対するロックを解除し、蓋部材２５の前端部が自重で下方に揺動してケース本体２４の開口部が開かれ、その内部の消火シート２２が自然に外部に飛び出すようになっている。
なお、蓋部材２５の内面には、消火シート２２を内部に収納できる広さに区画された囲み壁部３３が一体に形成されている。また、ケース本体２４の前面２４Ａに消火用の注意喚起表示（図示せず）を記載することにより、いざ発火という時に消火シート２２の場所が分からず、初期消火に間に合わないという事態を極力防止するようにしている。【００２０】  他方、図５〜図７に示すように、本実施形態の消火シート２２は、不燃性又は難燃性でかつ可撓性を有するシート本体３５と、このシート本体３５の外周縁部に取り付けられた複数の重り部材３６とを備えている。シート本体３５はほぼ正方形状（長方形状でもよい）に形成されており、重り部材３６は当該シート本体３５のコーナー部のみに配置されている。この重り部材３６はほぼ直角三角形状の金属プレートよりなり、このプレートとシート本体３５とをともに貫通する止めピン３７（図７参照）を介してシート本体３５のコーナー部に固定されている。【００２１】  上記消火シート２２は、図６（ａ）に示すようにまず二つ折りに重ね合わされ、その後、図６（ｂ）に示すように更に三つ折りに重ね合わされ、展開状態（図５の状態）に比べて６分の１の面積に折り畳まれ、この状態で消火シートケース２３の内部に収納されるようになっている。なお、シート本体３５の材質としては、不燃性のガラス繊維や難燃性のアラミド繊維等よりなる織布又は不織布によって構成することができ、また、従来例（実開昭６１−１１５５６３号公報）のように超吸水性繊維で構成することもできる。また、図７（ｂ）に示すように、シート本体３５を表裏二重に重ね合わせ、その間に重り部材３６を挟み込むようにすることもできる。【００２２】  上記構成に係る消火装置２１を有するシステムキッチン１によれば、不燃性又は難燃性の消火シート２２が内部に収納されている消火シートケース２３を吊り戸棚７の下面７Ａに取り付けるようにしたので、厨房内における人目に付きやすくかつ邪魔にならないところに消火シート２２を常置することができ、緊急時に迅速かつ容易に消火作業を行うことができる。
また、本実施形態の消火シートケース２３では、ケース本体２４の開口部を下方に向けた状態で厨房の吊り戸棚７の下面７Ａに取り付けられ、かつ、蓋部材２５が同ケース本体２４の開口部に上下揺動自在に枢着されているので、蓋部材２５を開けると同時に消火シート２２がケース本体２４の開口部から自然に飛び出し、これによって消火作業の迅速性がより向上される。【００２３】  更に、本実施形態の消火シートケース２３では、高さ寸法が幅寸法及び奥行き寸法よりも小さい扁平な箱体状に形成されているので、吊り戸棚７の下面７Ａに取り付けても台所作業に邪魔になることがまったくなく、しかも、吊り戸棚７の下面７Ａはほぼ人の目の高さに位置しているので、消火シートケース２３が人目に付く位置に常置されることになって、いざ発火という時にユーザーが消火シート２２の収納場所を忘れて慌てるのを未然に防止することができる。【００２４】  また、本実施形態の消火シートケース２３では、プッシュ操作によって蓋部材２５を開放することができる操作部材（プッシュボタン３２）が当該蓋部材２５の下面に設けられているので、いざ発火という時の蓋部材２５の開放を極めて簡便に行うことができ、この点で消火作業の迅速性をより向上させることができるという利点もある。なお、かかるプッシュ操作による操作部材３２はケース本体２４の下面に設けることにしてもよい。【００２５】  一方、本実施形態の消火シート２２によれば、シート本体３５の外周縁部に複数の重り部材３６が取り付けられているので、例えば火元から勢いよく火炎が吹き上げているような場合でも、その火炎から受けた浮力で消火シート２２の縁部が捲れ上がるのが防止され、消火シート２２を火元に対して適切に覆い被せることができる。このため、油鍋等が急に発火したような緊急時においても、迅速な消火作業を容易に行うことができる。【００２６】  また、本実施形態の消火シート２２では、シート本体３５がほぼ長方形又は正方形に形成されており、しかも、重り部材３６が当該シート本体３５のコーナー部のみに配置されているので、シート本体３５をどのように折り畳んでも重り部材３６の存在が邪魔になることがない。このため、シート本体３５を可及的にコンパクトに折り畳むことで消火シート２２の収納スペースを小さくすることができる。【００２７】  なお、本発明は上記実施形態に限定されるものではない。
例えば、前記消火シートケース２３は、吊り戸棚７の下面７Ａだけでなく、その他の上部設備８の外側面や厨房の壁面２に取り付けるようにすることもできる。
また、前記消火シート２２は、厨房機器の消火用としてだけでなく、石油ストーブ等のその他の室内火元の消火用として使用することもできる。
【図面の簡単な説明】
【００２８】
【図１】  本発明の消火装置とこれを有するシステムキッチンの側面図である。
【図２】  同システムキッチンの斜視図である。
【図３】  （ａ）は消火シートケースの側面図であり、（ｂ）は同ケースの側面断面図である。
【図４】  幅方向半分を断面で示した消火シートケースの底面図である。
【図５】  消火シートの展開状態の平面図である。
【図６】  （ａ）は消火シートを二つ折りした平面図であり、（ｂ）は同シートを更に三つ折りにした平面図である。
【図７】  （ａ）は消火シートのコーナー部の断面図であり、（ｂ）は変形例に係る消火シートのコーナー部の断面図である。
【符号の説明】
【００２９】  １      システムキッチン
２      壁面
７      吊り戸棚
７Ａ    下面
８      上部設備
２１      消火装置
２２      消火シート
２３      消火シートケース
２４      ケース本体
２４Ａ    前面
２５      蓋部材
３２      プッシュボタン（操作部材）
３５      シート本体
３６      重り部材
【図１】
2005160985.tif 000003
【図２】
2005160985.tif 000004
【図３】
2005160985.tif 000005
【図４】
2005160985.tif 000006
【図５】
2005160985.tif 000007
【図６】
2005160985.tif 000008
【図７】
2005160985.tif 000009